(57)【特許請求の範囲】
【請求項１】
水を流出させるための流出部が内側に形成され、上端部に流出口が開放される筒状の内側筒と、
前記内側筒の外側に間隔を隔てて配置され、前記内側筒との間に、粉塵を受け入れる環状の粉塵受入部が形成され、下端部が開放される筒状の外側筒と、
前記外側筒の外側に間隔を隔てて配置され、前記外側筒との間に水を貯留するための環状の水貯留部が形成される筒状のケーシングと、
前記外側筒および前記ケーシングの上端部を覆う上蓋と、
前記上蓋に設けられ、前記水貯留部と対向配置されており、吸引手段が接続され、前記粉塵受入部を吸引するための吸引部と、
前記上蓋に設けられ、前記流出口と対向配置されており、前記吸引手段によって前記吸引部から吸引され負圧とされる前記粉塵受入部内に、空気とともに粉塵を供給するための粉塵供給口とを備え、
水を送るための送液手段の下流側が、前記流出部の下端部に接続されるとともに、前記送液手段の上流側が前記水貯留部に接続されており、
前記粉塵供給口と前記流出口とが、上下方向において前記粉塵供給口から供給される空気が前記流出口から流出される水を押し付けることができる間隔を隔てて対向配置され、
前記流出口が、前記粉塵供給口から供給される粉塵および空気に向かって、水を流出させることを特徴とする、湿式集塵装置。
【発明の詳細な説明】
【０００１】
【発明の属する技術分野】
本発明は、湿式集塵装置、より詳しくは、水を用いて集塵する湿式集塵装置に関する。
【０００２】
【従来の技術】
従来より、水を用いて集塵する湿式集塵装置が知られている。この種の湿式集塵装置は、たとえば、粉塵に、水を噴霧したり、水滴を衝突させることにより、集塵するものであり、可燃性の粉塵や、嵩の高い粉塵を大量に集塵するために広く用いられている。
【０００３】
【発明が解決しようとする課題】
しかし、現在までに知られている湿式集塵装置では、水を噴霧するための噴霧器や、あるいは、水滴を衝突させるための撹拌翼（水車）などを装備する必要があるため、装置構成が複雑で、また、装置の大型化が不回避である。
【０００４】
本発明は、このような事情に鑑みなされたものであり、その目的とするところは、簡易かつコンパクトな構成で、可搬性に優れる湿式集塵装置を提供することにある。
【０００５】
【課題を解決するための手段】
上記目的を達成するため、請求項１に記載の発明は、水を流出させるための流出部が内側に形成され、上端部に流出口が開放される筒状の内側筒と、前記内側筒の外側に間隔を隔てて配置され、前記内側筒との間に、粉塵を受け入れる環状の粉塵受入部が形成され、下端部が開放される筒状の外側筒と、前記外側筒の外側に間隔を隔てて配置され、前記外側筒との間に水を貯留するための環状の水貯留部が形成される筒状のケーシングと、前記外側筒および前記ケーシングの上端部を覆う上蓋と、前記上蓋に設けられ、前記水貯留部と対向配置されており、吸引手段が接続され、前記粉塵受入部を吸引するための吸引部と、前記上蓋に設けられ、前記流出口と対向配置されており、前記吸引手段によって前記吸引部から吸引され負圧とされる前記粉塵受入部内に、空気とともに粉塵を供給するための粉塵供給口とを備え、水を送るための送液手段の下流側が、前記流出部の下端部に接続されるとともに、前記送液手段の上流側が前記水貯留部に接続されており、前記粉塵供給口と前記流出口とが、上下方向において前記粉塵供給口から供給される空気が前記流出口から流出される水を押し付けることができる間隔を隔てて対向配置され、前記流出口が、前記粉塵供給口から供給される粉塵および空気に向かって、水を流出させることを特徴としている。
【０００６】
このような構成によると、吸引手段によって吸引部から吸引され負圧となっている粉塵受入部内に、粉塵供給口から空気とともに粉塵が供給されると、その粉塵が供給される供給圧力によって、粉塵供給口と対向状に設けられている流出口から流出される水が押し付けられ、流出口から噴水状に噴出される。そのため、粉塵受入部内に受け入れられた粉塵は、噴出により微細となった水滴と対向状に接触して吸収されるので、効率の良い集塵が達成される。しかも、粉塵受入部内を負圧にした状態で、粉塵の供給圧力によって、流出口から流出される水を噴水状に噴出させるのみの簡易な構成であるため、水を噴霧するための噴霧器や、あるいは、水滴を衝突させるための撹拌翼（水車）などを装備する必要がなく、コンパクトな構成による小型化、軽量および可搬性の向上を図ることができ、集塵したい現場などに容易に持ち運ぶことができる。
【０００８】
また、粉塵供給口から粉塵が下方に向かって供給される一方で、流出口から流出される水が上方に向かって噴水状に噴き広げられるので、粉塵受入部内に受け入れられた粉塵と噴き上げられる水とを効率良く接触させることができ、効率的な集塵を達成することができる。
【００１０】
また、粉塵受入部内に受け入れられた粉塵は、微細となった水滴と対向状に接触した後、粉塵受入部の周側壁（外側筒）と流出部の周側壁（内側筒）との間を、水とともに落下しながら良好に集塵される。そのため、より一層、効率的な集塵を達成することができる。
【００１２】
また、粉塵受入部は、その下端部から水貯留部を介して吸引部から吸引手段によって吸引される。そのため、粉塵受入部内には、上端部から下端部に向かって、粉塵受入部の周側壁（外側筒）と流出部の周側壁（内側筒）との周りを流れる気流が発生するので、粉塵は、微細となった水滴と対向状に接触した後、その気流に沿って、水とともに落下しながらより一層良好に集塵される。そのため、より一層、効率的な集塵を達成することができる。そして、粉塵受入部の下端部まで落下した粉塵は、その下端部から水貯留部に移動して、その水貯留部において、良好に貯留される。
【００１４】
また、送液手段の駆動により、流水部の下端部から上端部の流出口に向かって水が送られるので、その流出口において、水を良好に噴出させることができる。また、噴出後、粉塵受入部の下端部まで落下した水滴は、その下端部から水貯留部に移動して、水貯留部から、送液手段の駆動により、再び流水部の下端部に送られる。そのため、水貯留部内の水を効率的に循環させて、効率的な集塵を達成することができる。
【００１５】
【発明の実施の形態】
図１は、本発明の湿式集塵装置の一実施形態を示す概略構成図である。
【００１６】
図１において、この湿式集塵装置１は、ケーシング２と、上蓋５と、そのケーシング２内に設けられる外側筒３および内側筒４とを備えている。
【００１７】
ケーシング２は、上端部が開放される有底円筒形状をなし、その底壁６が下向きに傾斜状に設けられている。このケーシング２の周側壁の下部一側（底壁６が下向きに傾斜している側）には、最下部において、ケーシング２内の水を排水するための排水管８が、その上において、ケーシング２内に水を供給するための給水管９が、さらにその上において、後述する送液ポンプ２４の上流側に接続される上流側循環管１０が、ケーシング２の径方向外方に突出するようにそれぞれ設けられている。
【００１８】
排水管８および給水管９には、それぞれ排水弁１１および給水弁１２が設けられており、たとえば、傾斜状に設けられる底壁６の一側に溜まる粉塵を、排水弁１１の開閉動作により排水管８から除去できるように構成されている。
【００１９】
また、上流側循環管１０は、後述するように、水貯留室２３に貯留された水が、掃除機１６の吸引動作によってケーシング２の内周壁に沿って立ち上がり、水貯留室２３と粉塵受入室２２とが連通する空間を形成可能な程度にまで満たされる位置に設けられている。
【００２０】
上蓋５は、ケーシング２の上端開口部を覆う平板状をなし、その側方位置には、後述する水貯留室２３に対向する吸引口７が、また、その中央位置には、後述する粉塵受入室２２内の流出室２１の流出口１９に対向する粉塵供給口１３が、それぞれ開口形成されている。吸引口７には、吸引部としての吸引管１４の一端部が接続され、その吸引管１４の他端部には、吸引手段としての掃除機１６が着脱自在に接続されている。また、粉塵供給口１３には、粉塵供給管１５の一端部が接続され、その粉塵供給管１５の他端部には、粉塵の発生源１７（たとえば、粉砕などにより粉塵が発生する場合には、粉砕装置）が接続されている。
【００２１】
外側筒３は、下端部が開放される円筒状をなし、ケーシング２内において、ケーシング２の周側壁（水貯留部の周側壁）と所定の間隔を隔てて上下方向に沿って配置されており、その上端部が粉塵供給口１３の周りを囲うような状態で上蓋５に接続されるとともに、その下端部が連通口１８として開口形成され、底壁６と所定の間隔を隔てて対向配置されている。
【００２２】
内側筒４は、上端部が開放される円筒状をなし、ケーシング２内の中央部において、外側筒３と間隔を隔てて上下方向に沿って配置されており、その上端部が流出口１９として開口形成されるとともに粉塵供給口１３と上下方向において粉塵供給口１３から供給される空気が流出口１９から流出される水を押し付けるような間隔を隔てて対向配置され、その下端部が底壁６に接続されている。また、内側筒４の下部からは、径方向外方に下流側循環管２０が突出形成されている。この下流側循環管２０は、その一端部が内側筒４に連通するとともに、その他端部がケーシング２を貫通して、そのケーシング２の外側に延び、後述する送液ポンプ２４の下流側に接続されるように設けられている。
【００２３】
また、上流側循環管１０と下流側循環管２０とは、水を送るための送液手段としての送液ポンプ２４を介して接続されている。
【００２４】
そして、この湿式集塵装置１では、ケーシング２の内側に外側筒３が配置され、その外側筒３の内側に内側筒４が配置される３重筒構造として形成されており、内側筒４により画成された内側空間が水を流出させるための筒状の流出部としての流出室２１とされ、また、粉塵供給口１３を含む上蓋５（外側筒３で囲まれている円板部分）と外側筒３とにより画成された内側空間が粉塵を受け入れるための粉塵受入部としての筒状の粉塵受入室２２とされ、また、吸引口７を含む上蓋５（外側筒３とケーシング２とで囲まれている円環部分）とケーシング２の周側壁と外側筒３と内側筒４（外側筒３と対向しない部分）と底壁６（内側筒４とケーシング２とで囲まれている円環部分）とにより画成された内側空間が筒状の水貯留部としての水貯留室２３とされている。
【００２５】
次に、この湿式集塵装置１の集塵動作について説明する。この湿式集塵装置１では、まず、予め水貯留室２３に水を貯留しておく。水を貯留するには、排水弁１１を閉状態として給水弁９を開動作する。そうすると、給水管９から水貯留室２３に水が供給されるので、その後、供給された水によって粉塵受入室２２が浸漬され、次いで、上流側循環管１０を満たす程度まで水位が上昇した時点で、給水弁９を閉動作する。これによって、水貯留室２３に、水が、後述する掃除機１６の吸引動作によって水貯留室２３と粉塵受入室２２とが連通する空間を形成可能な程度に貯留される。
【００２６】
次いで、送液ポンプ２４を駆動させる。そうすると、送液ポンプ２４の送液動作によって、水貯留室２３内の水が循環される。すなわち、送液ポンプ２４から送られる水は、下流側循環管２０から流出室２１に流入され、流出室２１の下端部から上端部の流出口１９に向かって送られる。その後、流出口２１から流出される水は、掃除機１６が駆動されていない状態においては、図２に示すように、内側筒４の外周壁に沿って流下する。流下した水は、水貯留室２３において、一時的に滞留され、その後、上流側循環管１０から送液ポンプ２４に送られ、この送液ポンプ２４から再び下流側循環管２０に送られる。
【００２７】
そして、掃除機１６を駆動させる。そうすると、掃除機１６の吸引動作によって、吸引管１４を介して吸引口７から水貯留室２３が吸引されるので、水貯留室２３内の水がケーシング２の内壁に沿って立ち上がり（図１における点線で示す状態となる）、水貯留室２３と粉塵受入室２２とが連通する空間が形成され、これによって、粉塵受入室２２内が連通口１８を介して下端部から吸引され、粉塵受入室２２内が負圧となり、さらに、粉塵供給口１３から粉塵供給管１５を介して粉塵の発生源１７が吸引されるので、その粉塵の発生源１７から粉塵供給管１５を介して粉塵が気力輸送（吸引輸送）され、その粉塵が粉塵供給口１３から粉塵受入室２２内に供給される。
【００２８】
そうすると、負圧とされている粉塵受入室２２内に、粉塵供給口１３から空気とともに粉塵が下方に向かって供給されるので、図３に示すように、その粉塵が供給される供給圧力Ｐ２によって、その粉塵供給口１３と粉塵供給口１３から供給される空気が流出口１９から流出される水を押し付けるような間隔を隔てて対向配置されている流出口１９から、送液ポンプ２４の送液圧Ｐ１により流出される水が押し付けられ、流出口１９から流出される水が、上方に向かって噴水状に噴き広げられるように噴出される。これによって、粉塵受入室２２内に受け入れられた粉塵は、噴水状の噴出により微細となった（霧状となった）水滴と対向状に効率良く接触して吸収されるので、効率の良い集塵が達成される。
【００２９】
その後、水に接触吸収された粉塵は、外側筒３（粉塵受入部の周側壁）と内側筒４（流出部の周側壁）との間を、水とともに落下しながら良好に集塵される。そして、この時、粉塵受入室２２内は、その下端部から水貯留室２３を介して掃除機１６によって吸引管１４から吸引されているので、粉塵受入室２２内において、外側筒３の内周壁と内側筒４の外周壁との周りを流れる気流が発生するので、粉塵は、微細となった水滴と対向状に接触した後、その気流に沿って、水とともに、たとえば、渦巻き状に落下しながら良好に集塵されるので、より一層、効率的な集塵を達成することができる。
【００３０】
そして、粉塵受入室２２の下端部まで落下した粉塵は、その下端部から連通口１８を介して水貯留室２３に移動して、その水貯留室２３において、傾斜状に設けられる底壁６の一側に沈殿として良好に貯留されるので、排水弁１１の開閉動作により、排水管８から適宜除去することができる。なお、その排水によって不足した水は、給水弁１２の開閉動作により、給水管９から適宜補給すればよい。なお、水に不溶性の粉は水貯留室２３内において水面に泡状に浮遊される。
【００３１】
また、噴出後、粉塵受入室２２の下端部まで落下した水滴は、その下端部から連通口１８を介して水貯留室２３に移動して、水貯留室２３から、送液ポンプ２４の駆動により、再び流水室２１の下端部に送られる。そのため、水貯留室２３内の水を効率的に循環させて、効率的な集塵を達成することができる。
【００３２】
そして、このような湿式集塵装置１では、粉塵受入室２２内を負圧にした状態で、粉塵の供給圧力Ｐ２によって、流出口１９から流出される水を噴水状に噴出させるのみの簡易な構成であるため、水を噴霧するための噴霧器や、あるいは、水滴を衝突させるための撹拌翼（水車）などを装備する必要がなく、コンパクトな構成による小型化、軽量および可搬性の向上を図ることができ、集塵したい現場などに容易に持ち運ぶことができる。
【００３３】
そのため、この湿式集塵装置１は、たとえば、建築現場などにおいて、建築壁材の破砕時において発生する嵩の高い破砕材などを集塵する場合に、現場に持ち運んで掃除機１６を接続するのみで、簡易かつ効率的な集塵を達成することができる。
【００３４】
なお、この湿式集塵装置１においては、流出口１９を、たとえば、図４に示すように、のこぎり状（ギザギザ状）に形成するか、あるいは、図５に示すように、渦状に形成しても、水を良好に噴水状に噴出させることができる。
【００３５】
また、ケーシング２、外側筒３および内側筒４を、たとえば、透明アクリル板などにより形成すれば、装置内部における水の流出状態を確認することができる。
【００３６】
また、上記の説明においては、水貯留室２３は、筒状（円筒状）の内側空間として形成されているが、その形状に何ら限定はなく、たとえば、角筒状であってもよい。
【００３７】
また、上記の説明においては、吸引管１４に掃除機１６を接続したが、吸引手段としては特に制限されず、たとえば、吸引式のブロワなどを接続してもよい。
【００３８】
【発明の効果】
以上に述べたように、請求項１に記載の発明によれば、コンパクトな構成による小型化、軽量および可搬性の向上を図ることができ、集塵したい現場などに容易に持ち運ぶことができる。
【００３９】
また、粉塵受入部内に受け入れられた粉塵と噴き広げられる水とを効率良く接触させることができ、効率的な集塵を達成することができる。
【００４０】
また、粉塵が水滴とともに、粉塵受入部の周側壁（外側筒）と流出部の周側壁（内側筒）との間を落下しながら良好に集塵される。そのため、より一層、効率的な集塵を達成することができる。
【００４１】
また、より一層、効率的な集塵を達成することができるとともに、集塵した粉塵を水貯留部において良好に貯留することができる。
【００４２】
また、水貯留部内の水を効率的に循環させて、効率的な集塵を達成することができる。
【図面の簡単な説明】
【図１】図１は、本発明の湿式集塵装置の一実施形態を示す概略構成断面図である。
【図２】図１に示す湿式集塵装置の吸引口付近の要部断面図（吸引されていない状態）である。
【図３】図１に示す湿式集塵装置の吸引口付近の要部断面図（吸引されている状態）である。
【図４】図１に示す湿式集塵装置の吸引口の要部断面図（ギザギザ状）である。
【図５】図１に示す湿式集塵装置の吸引口の要部断面図（渦巻き状）である。
【符号の説明】
１    湿式集塵装置
２    ケーシング
３    外側筒
４    内側筒
１３  粉塵供給口
１４  吸引管
１６  掃除機
１９  流出口
２１  流出室
２２  粉塵受入室
２３  水貯留室
２４  送液ポンプ
【図１】
0004015399.tif 000002
【図２】
0004015399.tif 000003
【図３】
0004015399.tif 000004
【図４】
0004015399.tif 000005
【図５】
0004015399.tif 000006